(57)【要約】      （修正有）【課題】電流センサの位置を検出し、所望の制御方法に準じてシステムを正常に動作するようにさせるための電流センサの検出方法を提供する。【解決手段】電流センサ検出方法は、電力系統と分電盤との間を接続する第１電力ラインまたは分電盤と負荷との間を接続する第２電力ラインに取り付けられた、電力ラインを流れる電流の向きを検出する電流センサと、分電盤に接続された第３電力ラインを介して第１電力ラインまたは第２電力ラインに送電する太陽電池装置とを備えた電力制御システムにおいて、第１電力ラインおよび第２電力ラインのどちらに電流センサが取り付けられているかを検出する。太陽電池装置が発電していない状態で電流値を測定し（第１測定値）、太陽電池装置が発電している状態で電流値を測定し（第２測定値）、第１および第２測定値を用いて電流センサ取り付け位置を判定する。【選択図】図４
2014168348.tif 000002
【特許請求の範囲】
【請求項１】
電力系統と分電盤との間を接続する第１電力ラインまたは前記分電盤と負荷との間を接続する第２電力ラインに取り付けられた、電力ラインを流れる電流の向きを検出する電流センサと、
前記分電盤に接続された第３電力ラインを介して前記第１電力ラインまたは前記第２電力ラインに発電電力を送電する太陽電池装置とを備えた電力制御システムにおいて、
前記電流センサに電流が流れているときに前記第１電力ラインおよび前記第２電力ラインのどちらに取り付けられているかを検出する電流センサ検出方法であって、
前記太陽電池装置の前記発電電力が無い状態で前記ラインを流れている電流値および電力値の少なくとも一方を測定して第１測定値を取得するステップＡと、
前記太陽電池装置の前記発電電力が出力している状態で前記ラインを流れている電流値および電力値の少なくとも一方を測定して第２測定値を取得するステップＢと、
前記電力ラインを流れる電流方向が、前記電力系統から前記分電盤を介して前記負荷に向かって前記第１電力ラインおよび前記第２電力ラインを流れる第１方向、または該第１方向と逆方向の第２方向であるか判定するステップＣと、
該ステップＣにおいて判定された前記電流方向が第１方向であった場合に、前記第１測定値からの前記第２測定値の変動値を測定するステップＤとを備えた電流センサ検出方法。
【請求項２】
前記ステップＢ、前記ステップＣおよび前記ステップＤを含むステップを少なくとも２回以上行なうことで測定された複数の変動値が、所定時間内で連続して同じ値になるまで前記ステップを繰り返す、請求項１に記載の電流センサ検出方法。
【請求項３】
前記ステップＡにおいて、前記ラインを流れる電流方向を判定し、前記ラインを流れる電流方向が第２方向であると判定された場合に、前記電流センサの極性を反転させるステップＥをさらに備えた請求項１に記載の電流センサ検出方法。
【発明の詳細な説明】
【技術分野】
【０００１】
本発明は、電力制御システムに取り付けられる電流センサの位置を検出する電流センサ検出方法に関する。
【背景技術】
【０００２】
近年、太陽電池装置および蓄電装置を組み合わせた電力制御システムの普及が進んでいる。このような電力制御システムでは、太陽電池装置の発電電力のうち、負荷に電力供給して余った余剰電力は蓄電装置に蓄電する、もしくは電力系統に逆潮流して売電を行なうことができる。
【０００３】
この電力制御システムの制御には、以下の２つの制御方法がある。１つ目の制御方法は、負荷の消費電力を優先的に蓄電装置からまかなうことによって、太陽電池装置の発電電力を積極的に逆潮流させて売電量の割合を増やして「押上げ効果」を得るもの（以下、押上げあり制御とする）である。２つ目の制御方法は、太陽電池装置の発電電力が負荷の消費電力に対して不足している分だけを蓄電装置からまかなう「押上げ効果」が無いもの（以下、押上げなし制御とする）がある。
【０００４】
このような電力制御システムでは、必要に応じて複数の電流センサが設けられている。例えば、図１に示した電力制御システムでは、放電・充電の電流を測定する電流センサＣと、太陽電池装置の出力電流を測定する電流センサＤとを有している。また、電力制御システムにおいて、押上げあり制御を行なう場合には負荷の消費電力を測定する電流センサＡが設けられる。また、電力制御システムにおいて、押上げなし制御を行なう場合には、電流センサＡに代えて、電力系統側への売電方向の電流を測定する電流センサＢが設けられる。
【０００５】
また、電流センサには極性があるため、極性が逆になった状態で施工されてしまう場合があった。そこで、電流センサの極性が誤っていた場合には演算時に電流情報を正しく補正する方法が提案されている（例えば、特許文献１および特許文献２参照）。
【先行技術文献】
【特許文献】
【０００６】
【特許文献１】特開２００４−２９７９５９号公報
【特許文献２】特開平１１−２２５４４１号公報
【発明の概要】
【発明が解決しようとする課題】
【０００７】
電力制御システムにおいて、押上げあり制御または押上げなし制御の動作をさせるかについては、システム上で予め決定しなければならない。それゆえ、電流センサは上記制御方法に合わせて配置する必要があるが、分電盤には多くの配線が集まっているため、電流センサの配置を誤るような施工ミスが発生する場合がある。このような施工ミスが発生すると、予め決定した制御の方法に基づいて電力制御システムが正常な動作を行なえなくなる。しかしながら、特許文献１，２に開示された技術では、電流センサの誤配置についてまでは検出できなかった。
【０００８】
本発明の目的の１つは、電流センサの位置を検出し、所望の制御方法に準じてシステムを正常に動作するようにさせるための電流センサの検出方法を提供することにある。
【課題を解決するための手段】
【０００９】
本発明の一実施形態に係る電流センサ検出方法は、電力系統と分電盤との間を接続する第１電力ラインまたは前記分電盤と負荷との間を接続する第２電力ラインに取り付けられた、電力ラインを流れる電流の向きを検出する電流センサと、前記分電盤に接続された第３電力ラインを介して前記第１電力ラインまたは前記第２電力ラインに発電電力を送電する太陽電池装置とを備えた電力制御システムにおいて、前記電流センサに電流が流れているときに前記第１電力ラインおよび前記第２電力ラインのどちらに取り付けられているかを検出するものである。また、本実施形態では、前記太陽電池装置の前記発電電力が無い状態で前記ラインを流れている電流値および電力値の少なくとも一方を測定して第１測定値を取得するステップＡと、前記太陽電池装置の前記発電電力が出力している状態で前記ラインを流れている電流値および電力値の少なくとも一方を測定して第２測定値を取得するステップＢとを有している。さらに、本実施形態では、前記電力ラインを流れる電流方向が、前記電力系統から前記分電盤を介して前記負荷に向かって前記第１電力ラインおよび前記第２電力ラインを流れる第１方向、または該第１方向と逆方向の第２方向であるか判定するステップＣと、該ステップＣにおいて判定された前記電流方向が第１方向であった場合に、前記第１測定値からの前記第２測定値の変動値を測定するステップＤとを有している。
【発明の効果】
【００１０】
本発明の実施形態に係る電流センサ検出方法によれば、電流センサが第１電力ラインまたは第２電力ラインに設けられているかを検出することができる。これにより、所望の電力ラインに電流センサが取り付けられているかどうか確認できる。その結果、本実施形態によれば、予め設定すべき制御方法に応じて電力制御システムを正常に動作させることができる。
【図面の簡単な説明】
【００１１】
【図１】電力制御システムの一構成を示すブロック図である。
【図２】電力制御システムに具備される電流センサが配置される位置を説明する配線図であり、太陽電池装置の発電電力の無いときの各電流の方向を示す配線図である。
【図３】電力制御システムに具備される電流センサが配置される位置を説明する配線図であり、太陽電池装置の発電電力が出力されている各電流の方向を示す配線図である。
【図４】本発明の実施形態１に係る電流センサ検出方法を説明するための制御フローチャートである。
【図５】本発明の実施形態２に係る電流センサ検出方法を説明するための制御フローチャートである。
【図６】本発明の実施形態３に係る電流センサ検出方法を説明するための制御フローチャートである。
【発明を実施するための形態】
【００１２】
本発明の電流センサ検出方法について図面を参照しつつ説明する。なお、背景技術と重複する説明は省略する。
【００１３】
（電力制御システムＸの構成）
電力制御システムＸは、図１に示すように、蓄電装置１、太陽電池装置２および制御装置３を備えている。また、以下の説明においては、図２に示すように、分電盤４と商用電力系統（以下、電力系統５）との間を接続する送電線を第１電力ラインＬ１、分電盤４と負荷６との間を接続する送電線を第２電力ラインＬ２、分電盤４と太陽電池装置２との間を接続する送電線を第３電力ラインＬ３、分電盤４と蓄電装置１との間を接続する送電線を第４電力ラインＬ４とする。
【００１４】
また、電力制御システムＸには、複数の電流センサが設けられている。図１に示すように、電流センサＡは、第２電力ラインＬ２に流れる電流方向を測定するものである。電流センサＢは、第１電力ラインＬ１に流れる電流方向を測定するものである。電流センサＣは、第４電力ラインＬ４に流れる電流方向を測定するものである。電流センサＤは、第３電力ラインＬ３に流れる電流方向を測定するものである。このような電流センサＡ〜Ｄとしては、例えば、磁気変換素子を用いたホール電流センサまたは磁気コイル式電流センサなどが用いられる。
【００１５】
蓄電装置１は、直流電力を蓄電する蓄電池１０と、蓄電池１０への充電が行なえるように交流電力を直流電力に変換したり、蓄電池１０の直流出力を交流出力に変換したりする蓄電装置用のパワーコンディショナ１１とを有している。
【００１６】
蓄電装置１は、夜間の電力で充電を行なうことができるため、充電された電力を昼間に負荷６に供給することで昼間の電力系統５からの買電を減らすことができる。これにより、蓄電装置１を設ければ、昼間のピーク電力時の買電を減らすことができるため、電力会社の負担を軽減するとともに、契約電力を小さくして電気料金を安く抑えることが可能となる。また、蓄電装置１は、太陽電池装置２の発電が無い夜間等にも負荷６に電力を供給することができるので、災害等による停電時にも非常用電源として活用できる。
【００１７】
太陽電池装置２は、複数の太陽電池モジュールを電気的に直列接続してなる太陽電池２０と、太陽電池２０の発電電力を交流電力に変換するパワーコンディショナ２１とを備えている。パワーコンディショナ２１から出力された交流電力は、分電盤４および電力ラインを介して電力系統５または負荷６にそれぞれ送電することができる。
【００１８】
制御装置３は、電流センサで測定された電流の情報（電流の方向および電流値）に基づいて演算を行ない、電流センサが第１電力ラインＬ１または第２電力ラインＬ２に取り付けられている場合に、いずれのラインに電流センサが位置するかを検出する機能を有する。具体的に、制御装置３は、太陽電池装置２の発電電力が出力している状態と出力していない状態で、電流センサによって測定されたそれぞれの電流値の測定値（第１測定値および第２測定値）を検出し、第１測定値と第２測定値との変動値を検出する検出手段を備えている。また、制御装置３は、電流センサによって測定された電流の方向を判定する判定手段を備えている。そして、制御装置３は、これら検出手段および判定手段の結果を演算することによって、電流センサがいずれの電力ライン（第１電力ラインまたは第２電力ライン）に配置されているか検出することができる。具体的な検出方法については、後述する。
【００１９】
なお、本実施形態では、制御装置３で蓄電装置１の制御も行なっている。具体的には、制御装置３は、電流センサＣで測定した電流の情報に基づいて演算を行ない、蓄電池１０からの出力電力または充電に使用した電力等の情報を得ることができる。また、制御装置３の制御機構は、内部に設けられたＣＰＵ等の演算部で行なわれる。この演算部は、パワーコンディショナ１１を制御する機能を備えていてもよい。
【００２０】
分電盤４は複数のブレーカーおよび端子台を有している。また、分電盤４は、太陽電池装置２、電力系統５および負荷６間を各々に設置されたブレーカーで電路を開閉できるようにしたものである。これにより、分電盤４は、太陽電池装置２の発電電力を各電力ラインを通じて蓄電装置１、電力系統５および負荷６に電力を供給することができる。なお、蓄電装置１は分電盤４内で接続しても良いが、図２に示すように、さらに分電盤４を設けてブレーカーによって電路を開閉できるようにしてもよい。
【００２１】
電力制御システムＸは、太陽電池装置２の発電電力を電力系統５に送電する売電および
電力系統５から負荷６に消費電力を送電する買電を交互に行なうシステムである。
【００２２】
また、電力制御システムＸは、表示装置７を設けてもよい。表示装置７は、太陽電池装置２の売電量、負荷６の消費電力量（買電量）等の情報を表示することができる。このような情報は、分電盤４と電力系統５との間に電流センサＥを配置することによって、電流センサＥで得られた電流情報から電力値として算出される。
【００２３】
次に、電力制御システムＸにおける電流センサ検出方法について説明する。
【００２４】
（実施形態１）
図２および図３は、電力制御システムＸの押上げあり制御の場合と押上げなし制御の場合の各電流センサの配置を模式的に示した配線図である。ここで、図２では、太陽電池装置２の発電電力が無いときの各電流センサにおける電流の流れる方向を示している。なお、本実施形態において、太陽電池装置２の発電電力が無いときとは、太陽電池装置２において発電電力がパワーコンディショナ２１から交流電力として出力されなかった状態を示す。それゆえ、微弱な太陽光によって太陽電池２０が発電していたとしても、パワーコンディショナ２１から出力されなかった場合には、発電電力は無いものとみなす。また、図３では、発電電力が有るときの各電流センサにおける電流の流れる方向を示す。なお、図３において、発電電力が有るときとは、太陽電池装置２において発電電力がパワーコンディショナ２１から交流電力として出力された状態を示す。
【００２５】
電力制御システムＸにおける蓄電装置１の出力は単相三線式であり、Ｕ相、Ｖ相、Ｗ相の３相のうち、Ｕ相とＷ相の２箇所に電流センサを配置する。ここで、押上げあり制御の場合には、電流センサが分電盤４と負荷６の間のＡ１およびＡ２の位置にある。これは、電流センサで測定された電流値から複数の負荷の総消費電力を算出し、それと同量の電力を蓄電装置１から負荷側へ供給することにより、太陽光発電装置２の発電電力をすべて売電電力とする必要があるためである。一方で、押上げなし制御の場合には、電流センサがＢ１およびＢ２の位置にある。これは、太陽電池装置２からの供給電力が負荷の総消費電力以上であるか確認しつつ、蓄電装置１からの逆潮流が発生していないか確認するためである。
【００２６】
ここで、図２の状態において、Ａ１およびＡ２とＢ１およびＢ２に位置する電流センサでは、電流が電力系統５から分電盤４を介して負荷６に向かって電力ラインを流れる第１方向（買電方向）にのみ流れていることが確認できる。一方で、図３の状態において、Ｂ１およびＢ２に位置する電流センサには、電流が第１方向（買電方向）および該第１方向と逆の第２方向（売電方向）の双方向に流れていることが確認できる。さらに、Ｂ１およびＢ２に電流センサが配置された場合には、太陽電池装置２の発電電力の有無に応じて電流値が変化する。そこで、本実施形態では、Ａ１およびＡ２と、Ｂ１およびＢ２の位置で電流の方向および電流値が異なることを利用して、電流センサの位置を検出する。なお、本実施形態では、電流値を測定しているが、この電流値から算出される電力値を用いて電流センサの位置を検出してもよい。よって、本実施形態では、電流値および電力値の少なくとも一方の値を検出すればよい。
【００２７】
図４は、電流センサが図２および図３における電流センサＡ１またはＢ１（Ａ２またはＢ２）のいずれの側に配置されているかを検知するための制御フローチャートである。なお、本制御フローチャートに基づく制御は、制御装置３で行なう。また、以下の説明では、便宜上、配置が確定していない電流センサについて、電流センサＡ１もしくはＢ１が置かれるＵ相側を電流センサ１、電流センサＡ２もしくはＢ２が置かれるＷ相側を電流センサ２と称することにする。
【００２８】
まず、ＳＴＥＰ１では、太陽電池装置２の発電電力の電力系統５および負荷６に対する出力の有無を判定する。すなわち、ＳＴＥＰ１では、太陽電池装置２の発電電力の有無を確認している。発電電力の有無は、電流センサＤで測定される電流値の有無で判定することができる。そして、この判定結果は、制御装置３の記憶部に送られる。
【００２９】
ここで、本実施形態における太陽電池装置２の発電電力とは、太陽電池２０で発電された直流電力を負荷６等で利用可能な交流電力としてパワーコンディショナ２１から出力されたものを指す。それゆえ、太陽電池装置２の発電電力の無い状態とは、太陽電池２０の発電が行なわれていない状態またはパワーコンディショナ２１が停止している状態等を指す。また、本実施形態では、微弱な太陽光によって太陽電池２０が発電していたとしても、パワーコンディショナ２１から出力されなかった場合であっても、発電電力は無いものとみなす。
【００３０】
なお、太陽電池装置２の発電電力が無い場合とは、例えば、日没後のことである。また、本実施形態では、太陽電池装置２０のパワーコンディショナ２１の駆動スイッチをＯＦＦにして人為的な作業で発電電力を無くす方法を用いてもよい。これにより、日没等の自然現象に比べて、ＳＴＥＰ１における判定時間も短くすることができる。
【００３１】
そして、制御装置３は、太陽電池装置２で発電電力が発生していた場合、発電電力が無い状態が検出できるまでＳＴＥＰ２に進めない制御を行なう。一方で、制御装置３は、所定時間内で太陽電池装置２の発電電力を電流センサＤで検出できない、すなわち、発電電力が無かった場合にＳＴＥＰ２の電流値の測定処理を行なう。なお、所定時間とは、例えば、３０秒〜５分程度である。
【００３２】
次に、ＳＴＥＰ２では、電流センサ１および電流センサ２の少なくとも一方の電流値を測定する。ＳＴＥＰ２において、制御装置３は、上記電流値を第１測定値として取得し、記憶部に記憶する。また、ＳＴＥＰ１およびＳＴＥＰ２を併せたものがステップＡとも言う。
【００３３】
次いで、ＳＴＥＰ３では、ＳＴＥＰ１と同様に、太陽電池装置２の発電電力の出力の有無を判定する。具体的に、ＳＴＥＰ１およびＳＴＥＰ２は、日没後に行なうものであり、ＳＴＥＰ３は太陽光が発生している日の出後に行なう。
【００３４】
ＳＴＥＰ３において、制御装置３は、太陽電池装置２の発電電力が無かった場合に、発電電力が検出できるまでＳＴＥＰ４に進めない制御を行なう。一方で、制御装置３は、所定時間内で太陽電池装置２の発電電力を電流センサＤで検出できた場合に、ＳＴＥＰ４の電流の方向および電流値の測定処理を行なう。なお、所定時間とは、例えば、１０秒〜１分程度である。
【００３５】
次に、ＳＴＥＰ４では、電流センサ１および電流センサ２の少なくとも一方の電流値および電流の方向を測定する。ＳＴＥＰ４において、制御装置３は、上記電流値を第２測定値として取得し、記憶部に記憶する。また、制御装置３は、ＳＴＥＰ４で得られた電流センサで検出された電流の方向についても記憶部に記憶する。また、ＳＴＥＰ３およびＳＴＥＰ４を併せたものがステップＢとも言う。
【００３６】
次いで、ＳＴＥＰ５（ステップＣ）では、ＳＴＥＰ４で測定した電流の方向が、第１方向であるか否か判定する。ＳＴＥＰ５において、制御装置３は、電流の方向が第１方向であると判定された場合に、ＳＴＥＰ６に進める処理を行なう。一方で、ＳＴＥＰ５において、制御装置３は、電流の方向が第１方向でない、すなわち、電流の方向が第２方向であると判定された場合に、ＳＴＥＰ７に進める処理を行なう。
【００３７】
ここで、ＳＴＥＰ７に進んだ場合、ＳＴＥＰ７では、電流センサ１および電流センサ２がＢ１およびＢ２の位置であると判定する。これは、Ａ１およびＡ２の位置に電流センサが配置された場合には、第２方向に流れる電流が検出されないことに基づいている。すなわち、第２方向に電流が流れていると検出された場合には、電流センサがＢ１およびＢ２に位置していると判定できる。
【００３８】
一方で、ＳＴＥＰ６に進んだ場合、ＳＴＥＰ６では、ＳＴＥＰ２で取得した第１測定値とＳＴＥＰ４で取得した第２測定値とを比較して、その変動値を測定する。具体的には、第１測定値から第２測定値が減少しているか否かを制御装置３で検出する。このとき、第２測定値の減少は、ＳＴＥＰ４において太陽電池装置２から第２電力ラインＬ２に電流が流れた場合に生じ得る。すなわち、第２測定値が第１測定値よりも減少することは、第１電力ラインＬ１において、太陽電池装置２の発電電力が負荷に供給されることによって電力系統５から第１方向に流れる電流の減少が検出されたことになる。このように、第１測定値に対する第２測定値の減少が検出された場合には、Ｂ１およびＢ２の位置に電流センサが配置されていると判定する（ＳＴＥＰ８）。
【００３９】
また、所定時間内で第１測定値に対する第２測定値の減少が検出されない場合、例えば、第１測定値と第２測定値とが略同等の値であった場合には、第１電力ラインＬ１の第１方向に流れる電流の減少が検出されなかったこととなる。また、太陽電池装置２から出力された発電電力によって第２電力ラインＬ２を流れる電流に変化は生じないため、第１測定値に対する第２測定値の減少が検出されない場合には、Ａ１およびＡ２の位置に電流センサが配置されていると判定する（ＳＴＥＰ９）。ここで、所定時間とは、例えば、１秒〜１０秒である。
【００４０】
次いで、ＳＴＥＰ７、ＳＴＥＰ８およびＳＴＥＰ９のいずれかで判定された結果は、電力制御システムＸで予め決定されている制御方法（押し上げあり制御または押し上げなし制御）と照合する（ＳＴＥＰ１０）。この照合は、制御装置３に設けられた照合手段で行なう。なお、このような照合手段は、例えば、押上げあり制御および押し上げなし制御の仕様であることを示す情報を記憶する記憶部と、該情報を演算するためのＣＰＵ等を備えている。
【００４１】
このＳＴＥＰ１０において、電力制御システムＸが押し上げあり制御で設定されている場合には、ＳＴＥＰ９からの結果を受信すれば、正しい位置に電流センサが配置されていることになる。また、ＳＴＥＰ１０において、電力制御システムＸが押し上げなし制御で設定されている場合には、ＳＴＥＰ７またはＳＴＥＰ８からの結果を受信すれば、正しい位置に電流センサが配置されていることになる。
【００４２】
一方で、ＳＴＥＰ１０において、電力制御システムＸで設定された制御方法と異なる位置に電流センサが配置されていると判定された場合には、その判定情報を制御装置３に設けられた制御手段に送信する。この制御手段は、電流センサの誤配置をユーザーに伝達するために警告音または警告表示等を行なうプログラムを有している。
【００４３】
このように、本実施形態では、現状の電流センサの配置が所望の制御を行なうシステムにおいて正しいか否かを検出することができる。これにより、施工者が電流センサの配置を間違って施工したとしても、正しい配置に直す作業を行なうことができる。
【００４４】
（実施形態２）
本実施形態では、ＳＴＥＰ６以降のフローが実施形態１と異なっている。具体的に、本実施形態では、図５に示すように、ＳＴＥＰ６において第１測定値と第２測定値との変動
値（第２測定値の減少の有無）の有無に応じて判定された電流センサの位置を記憶するステップを備えている。
【００４５】
ＳＴＥＰ１１において、制御装置３は、ＳＴＥＰ６で変動が検出された場合に、電流センサがＢ１およびＢ２の位置にあることを記憶部で記憶する。
【００４６】
次に、制御装置３は、ＳＴＥＰ１１で得られる変動値が所定時間内で同じ結果として検出されるか判定し、その判定結果に応じて処理を行なう（ＳＴＥＰ１２）。ＳＴＥＰ１２において、制御装置３は、ＳＴＥＰ４〜ＳＴＥＰ６（ステップＢ、ステップＣおよびステップＤ）を含むステップを少なくとも２回以上行なうことで測定された複数の変動値が、所定時間内で連続して同じ値（変動値）になるまで上記ステップを繰り返す制御を行なう。上記ステップは、例えば、１秒〜１分程度の所定時間内に２〜５回連続して繰り返せばよい。そして、制御装置３は、連続して同じ変動値を得られることができたら、ＳＴＥＰ１６に進めて、電流センサがＢ１およびＢ２の位置に配置されていると判定する。
【００４７】
一方で、ＳＴＥＰ１３において、制御装置３は、ＳＴＥＰ６で変動が検出されなかった場合に、電流センサがＡ１およびＡ２の位置にあることを記憶部で記憶する。
【００４８】
次に、制御装置３は、ＳＴＥＰ１３で得られる変動値が所定時間内で同じ結果として検出されるか判定し、その判定結果に応じて処理を行なう（ＳＴＥＰ１４）。ＳＴＥＰ１４において、制御装置３は、ＳＴＥＰ４〜ＳＴＥＰ６（ステップＢ、ステップＣおよびステップＤ）を含むステップを少なくとも２回以上行なうことで測定された複数の変動値が、所定時間内で連続して同じ値（変動値）になるまで上記ステップを繰り返す制御を行なう。上記ステップは、例えば、１秒〜１分程度の所定時間内に２〜５回連続して繰り返せばよい。そして、制御装置３は、連続して同じ変動値を得られることができたら、ＳＴＥＰ１５に進めて、電流センサがＡ１およびＡ２の位置に配置されていると判定する。
【００４９】
最後に、ＳＴＥＰ７、ＳＴＥＰ１５およびＳＴＥＰ１６のいずれかで判定された結果は、実施形態１と同様にユーザーに伝達される。
【００５０】
このように、本実施形態では、第１測定値と第２測定値との変動値が所定時間内で連続して同じ結果になっていることを確認するステップを含んでいる。これにより、本実施形態では、負荷の消費電力が略一定の状態で実施し得る実施形態１に比べて、負荷の消費電力に係る条件を緩和できる。具体的に、本実施形態では、ＳＴＥＰ４における第２測定値の電流の測定時において、負荷の消費電力に若干の変動が生じた場合であっても、電流センサの位置を正確に検出することができる。すなわち、本実施形態では、変動値が定常状態になった後に電流センサの位置を判定しているため、誤判定が低減される。
【００５１】
また、本実施形態において、負荷の消費電力が短時間で比較的大きく変動する中で電流センサの位置を検出する場合には、ＳＴＥＰ１〜ＳＴＥＰ６（ステップＡ、ステップＢ、ステップＣおよびステップＤ）を含むステップを少なくとも２回以上行なうことで測定された複数の変動値が、所定時間内で連続して同じ値（変動値）になるまで上記ステップを繰り返す制御を行なってもよい。これにより、電流センサの位置検出の誤判定がより低減される。
【００５２】
（実施形態３）
本実施形態では、電流センサの向きの誤配置を検出するフローを備えている点で実施形態１と相違する。具体的に、本実施形態では、図６に示すように、実施形態１のＳＴＥＰ２をＳＴＥＰ２２〜ＳＴＥＰ２７、実施形態１のＳＴＥＰ３をＳＴＥＰ２８に置き換えている。なお、本実施形態において、ＳＴＥＰ２１は、実施形態１のＳＴＥＰ１に相当し、
ＳＴＥＰ２９〜ＳＴＥＰ３５は、実施形態１のＳＴＥＰ４〜ＳＴＥＰ１０に相当する。よって、ＳＴＥＰ２１およびＳＴＥＰ２９〜ＳＴＥＰ３５の説明は省略する。
【００５３】
ＳＴＥＰ２２では、太陽電池装置２の発電電力が無い状態で、電流センサ１で電流ラインに流れている電流の方向および電流値を測定する。
【００５４】
次に、ＳＴＥＰ２３では、電流センサ１で取得した電流の方向が第１方向か否か判定する。ここで、電流の方向が第２方向であると判定された場合に、電流の方向を第１方向に変換する処理を行なう（ＳＴＥＰ２４）。電流センサは、電流値を出力する際に、反対方向の電流が流れると負の数値を出力する機能を有している。それゆえ、第１方向に電流が流れた際に正の数値を出力するように電流センサを配置すれば、該電流センサは、第２方向に電流が流れた際に負の数値を出力する。ここで、ＳＴＥＰ２３においては、負の数値が測定された場合に、ＳＴＥＰ２４で負の数値であったとしても第１方向の判定であったように取り扱うようにする。このような変換処理は、制御装置３によって、ＳＴＥＰ２２で得られた負の値を強制的に正の値に変換すればよい。この変換処理によって、電流センサ１で判定された電流の方向は、第１方向となる。なお、ＳＴＥＰ２３において、電流の方向が第１方向であると判定された場合には、ＳＴＥＰ２５に進む。
【００５５】
次に、ＳＴＥＰ２５では、電流センサ２で取得した電流の方向が第１方向か否か判定する。ここで、電流の方向が第２方向であると判定された場合に、この電流の方向を第１方向に変換する処理を行なう。この変換処理は、ＳＴＥＰ２４と同じ処理であればよい。なお、ＳＴＥＰ２６において、電流の方向が第１方向であると判定された場合には、ＳＴＥＰ２８に進む。
【００５６】
次いで、ＳＴＥＰ２８では、ＳＴＥＰ２１と同様に、太陽電池装置２の発電電力の出力の有無を判定する。そして、ＳＴＥＰ２８において、制御装置３は、太陽電池装置２の発電電力が無かった場合に、電流センサＤで発電電力が検出できるまでＳＴＥＰ２９に進めない制御を行なう。それゆえ、制御装置３は、電流センサＤで発電電力が検出できるまでＳＴＥＰ２２〜ＳＴＥＰ２７のステップを繰り返すように制御を行なう。
【００５７】
このように、本実施形態では、太陽電池装置２の発電電力が無い状態において、電力ラインを流れる電流の方向が第２方向と判定された場合に、この電流の方向を第１方向に変換する制御を行なうステップ（ステップＥ）を有している。通常、太陽電池装置２からの発電電力が無い場合には、電流センサがＡ１、Ａ２、Ｂ１およびＢ２のいずれの位置に配置されていても、第１方向にしか電流は流れない。これにより、電流の方向が第２方向として判定された場合には、電流センサの極性が反転して配置されていることがわかる。その結果、本実施形態では、電流センサの配置に正否判定に加えて、電流センサの極性（設置方向）の誤りを検出して補正することができる。これにより、例えば、電流センサＢで検出される売電量を正しくユーザーに伝達することができる。
【００５８】
（変形例）
上記実施形態において、太陽電池装置２の発電電力の有無は、例えば、１日の太陽の周期を利用しているが、これに限られない。例えば、制御装置３で太陽電池装置２の発電電力を強制的にゼロにする制御を行なうことで、ＳＴＥＰ１およびＳＴＥＰ２１を実現してもよい。これにより、比較的短時間でＳＴＥＰ１およびＳＴＥＰ２１を終了させることができる。このような制御の方法としては、例えば、太陽電池２０が発電している場合であっても、電力ラインＬ３に発電電力を出力させない制御を行なえばよい。他の制御の方法としては、リレーまたは半導体スイッチ等を用いて一部の電路を開放してもよい。
【００５９】
なお、上記一実施形態および各種変形例をそれぞれ構成する全部または一部を、適宜、
矛盾しない範囲で組み合わせ可能であることは、言うまでもない。
【符号の説明】
【００６０】
Ｘ：電力制御システム
１：蓄電装置
２：太陽電池装置
３：制御装置
４：分電盤
５：電力系統
６：負荷
７：表示装置
１０：蓄電池
２０：太陽電池
１１、２１：パワーコンディショナ
Ａ〜Ｅ：電流センサ
Ｌ１〜Ｌ４：第１〜第４電力ライン
【図１】
2014168348.tif 000003
【図２】
2014168348.tif 000004
【図３】
2014168348.tif 000005
【図４】
2014168348.tif 000006
【図５】
2014168348.tif 000007
【図６】
2014168348.tif 000008